(57)【要約】【課題】使い勝手がよく取付け工事が簡単で部品点数の少ない手すり用架台を提供する。【解決手段】本考案による手すり用架台は、円筒形手すりを支えて壁面に固定するために設けられる架台であって、本架台は、内部が中空で、前記壁面と接して１つのボルト装着用の通孔を有する後方取付け面と、後方取付け面から前方斜め上方に傾斜して設けられた凹形湾曲面と、凹形湾曲面の上方に位置し複数のネジ孔を有する凹形円弧状の手すり装着面と、前方上部から下方後部に向かって傾斜した開口部と、前記開口部に嵌め込まれる蓋とを有する。【選択図】図１
0003109177.tif 000002
【実用新案登録請求の範囲】
【請求項１】
円筒形手すりを支えて壁面に固定するために設けられる架台であって、
前記架台は、内部が中空で、前記壁面と接して１つのボルト装着用の通孔を有する後方取付け面と、前記後方取付け面から前方斜め上方に傾斜して設けられた凹形湾曲面と、前記凹形湾曲面の上方に位置し複数のネジ孔を有する凹形円弧状の手すり装着面と、前方上部から下方後部に向かって傾斜した開口部と、前記開口部に嵌め込まれる蓋とを有することを特徴とする手すり用架台。
【考案の詳細な説明】
【技術分野】
【０００１】
本考案は、手すりを壁面に取り付けるための手すり用架台に関する。
【背景技術】
【０００２】
一般家庭やマンションの階段や通路の壁面に設けられる手すりには様々なものがある。一般的な手すりは、通常、その高さは７５〜８０ｃｍに設置され、手すりの太さは３２〜３６ｍｍである。また、手すりの端部は、袖などが引っかからないように配慮されて、壁面側もしくは地面側に曲げられる場合もある。手すり用架台は、手すりの真下側を支えて下方に延びる形状に形作られることが望ましい。これは、手すりを真横で支持すると指がぶつかるため、手すりから手を離す必要が生じて危険なためである。
【０００３】
２０００年の建築基準法改正で、階段の片側には手すりをつけることが義務化されている。ここでは、手すりの張出し長が１０ｃｍ以下の場合は、階段の有効幅から除外される規定となっている。例えば、階段の幅が８０ｃｍで、その内側に張出し長が１０ｃｍ以下の手すりが設けられた場合、階段の幅は７０ｃｍではなく８０ｃｍとして認められる。従って、汎用品として使用する手すり用架台は、張出し長が１０ｃｍ以下であることが望ましい。
【０００４】
従来の手すり用部材は、数本のネジで壁面に固定される台座と、この台座に取り付けられ、台座に回動可能に取り付けられ、上方に湾曲した形状で、手すりの受座となるジョイント部の２つの鋳物部材からなる。（特許文献１、２参照）
【０００５】
従来の手すり用部材については、次のような改善が望まれていた。（１）２つの鋳物部材を１つにすること。（２）数本の台座用ネジを１本にすること。（３）壁面から手すりの最外周面までの張出し長さを１０ｃｍ以下とすること。
【特許文献１】特開平７−２１７１３９号公報
【特許文献２】特開平１１−１３１７４２号公報
【考案の開示】
【考案が解決しようとする課題】
【０００６】
本考案の目的は、前記のような要望に応えるもので、使い勝手がよく、取付け工事が簡単で、部品点数の少ない手すり用架台を提供することにある。
【課題を解決するための手段】
【０００７】
上記の目的を達成するため、本考案による手すり用架台は、円筒形手すりを支えて壁面に固定するために設けられる架台であって、前記架台は、内部が中空で、前記壁面と接して１つのボルト装着用の通孔を有する後方取付け面と、前記後方取付け面から前方斜め上方に傾斜して設けられた凹形湾曲面と、前記凹形湾曲面の上方に位置し複数のネジ孔を有する凹形円弧状の手すり装着面と、前方上部から下方後部に向かって傾斜した開口部と、前記開口部に嵌め込まれる蓋とを有することを特徴とする。
【考案の効果】
【０００８】
本考案による手すり用架台によれば、（１）壁に取り付けられる台座と、手すりと台座をつなぐジョイント部をまとめたから、蓋は別にして手すり用架台を鋳物部材１つで製作できる。（２）そして、ボルト１本で壁面に取り付けるから、手すりの取付け角度が自在である。（３）手すり用架台の前方から後方下方に向かって傾斜した開口部の蓋を外した状態では、内部の中空部に工具を挿入して、ボルトは水平方向に、ネジは下から上への垂直方向に取り付けることができる。蓋を付けた状態では、アンカーボルトやネジが外部からは見えないので高級感が出せる。（４）手すり用架台と手すりは常に直交して装着し、手すり用架台間の取付け間隔を決めて工場であらかじめ組み立てておける。手すりの取付け角度が変更になっても、そのまま使用できる。
【考案を実施するための最良の形態】
【０００９】
以下、図面を参照して、本考案による手すり用架台について説明する。
【実施例１】
【００１０】
図１は、手すり用架台の斜視図である。図１に示すように、手すり用架台１は、円筒形手すり２を支えて壁面に固定される。手すり用架台１は、一体構造形の鋳物部材で構成され、はめ込み式の蓋３を有する。手すり用架台１は、内部が中空で周囲が複数の平面と曲面で囲まれた構造を有する。ここで、壁面は、図１の矢印で示す方向において、後方側に位置するものとする。蓋３は前方側に位置するものとする。
【００１１】
手すり用架台１は、壁面と接する後方取付け面１０と、後方取付け面１０から前方斜め上方に傾斜して設けられた凹形湾曲面１１と、凹形湾曲面１１の上方に位置し複数のネジ孔１４を有する凹形円弧状の手すり装着面１２と、蓋３が取り付けられる前方から後方下方に向かって傾斜した開口部１３とを有する。図１において、蓋３を外すと内部の中空な空間が露出される。
【００１２】
手すり装着面１２の凹形円弧状の形状は、円筒形手すり２の外周に適合させている。本実施例では、円筒形手すり２の径が３５ｍｍまたは３６ｍｍのいずれも手すり用架台１に取り付けることができる。円筒形手すり２はアルミ製のパイプで、その外周面には１２本の溝を軸方向に沿って設け、手でつかんだ時にすべりにくい構造としている。円筒形手すり２の両端には樹脂製のキャップ２８がはめ込まれる。
【００１３】
図２は、手すり用架台１を後方（壁面側）から見た斜視図である。図２に示すように、壁面と接する後方取付け面１０には、１箇所にアンカーボルト装着用の通孔１５が設けられる。アンカーボルトはコンクリート壁面への装着でよく使用される締結具である。後方取付け面１０から前方斜め上方に向かって傾斜して設けられた凹形湾曲面１１があるので、手すりをつかんでスライドさせても指がぶつからない。手すり用架台１は、円筒形手すり２の底部を手すり装着面１２で支える。
【００１４】
図３は、手すり用架台１の平面図である。図３に示すように、手すり用架台１の上側には、凹形湾曲面１１と、２つのネジ孔１４のある手すり装着面１２とを有する。手すり装着面１２の左右方向の幅は、手すりの長手方向に延長せず、手すり用架台１の左右方向の幅に合わせている。腕のように張り出す構造ではないから、鋳型を簡単にできる。また、手すり用架台の前後方向の長さは７０ｍｍ程度にすることができる。
【００１５】
図４は、手すり用架台１の図３のＡ−Ｂ断面図である。図４に示すように、手すり用架台１はアルミ製の鋳物でできており、内部は中空である。蓋３がはめ込める嵌合溝３４が上方の前面側に設けられる。後方には壁面と接する後方取付け面１０があり、中央部に１つの通孔１５が設けられる。手すり装着面１２には、ネジ孔１４が内部に貫通して設けられる。孔１６は、蓋３の突起部が挿入されてはめ込みを確実にするためのものである。ただし、蓋３が金属のアルミ製の場合、蓋に突起部を設けなくても、下方に垂れ下がることはなく嵌合溝３４で十分支えることができる。
【００１６】
図５は、手すり用架台１の蓋の斜視図である。蓋３はアルミ平板材を加工したものである。手すり用架台１の嵌合溝３４にはめ込むため、蓋３の上部を水平方向に折り曲げている。蓋３の下部も、手すり用架台１の底部に合わせて折り曲げている。
【００１７】
図６は、一般的なアンカーボルトのコンクリート壁面への取付け説明図である。まず、図６（ａ）に示すように、コンクリート壁２５にドリル３０で下穴２９をあける。次に、図６（ｂ）に示すように、アンカーボルト２７を下穴２９に挿入する。アンカーボルト２７には、先端が膨らんだ芯捧３３が挿入されており、これが切り込みのあるスリーブ部３１を拡張させる。図６（ｃ）に示すように、ハンマー３２で芯捧をたたいて押し込むと、芯捧の先端の膨らんだ部分がスリーブ部３１を拡張させるから、スリーブ部３１が下穴２９の壁面に食い込んで、アンカーボルトが固定される。図６（ｄ）に示すように、ナットを外して手すり用架台を装着し、再びナットを締めることで取付け作業が完了する。
【００１８】
図７は、手すり用架台１のコンクリート壁面２５への取付け断面図である。通孔１５を介してアンカーボルト２７が取り付けられ、手すり用架台１が壁面２５に固定される。アンカーボルト２７のナットを回す工具は、蓋３が外された状態では、水平方向に空間ができるので、容易に挿入して操作することができる。また、円筒形手すり２を手すり用架台に固定するネジ２６は、手すり装着面１２のネジ孔１４を介して取り付けられる。ネジ２６を締める工具は、蓋３が外された状態では、垂直方向に空間ができるので、下方側から容易に挿入して操作することができる。
【００１９】
図８は、階段２４の側面に円筒形手すり２が、手すり用架台１でもって取り付けられた状態を示す取付け図である。手すりの高さＬは、７５〜８０ｃｍが好ましく、ここでは７５ｃｍとした。階段２４の蹴り上（１段の高さ）は、２１〜２３ｃｍが好ましい。階段２４の踏み面は、２３〜２６ｃｍが好ましい。踏み面は２ｃｍ程度、その下の段よりせり出すように蹴り込み部が設けられる。このような階段の傾斜にあわせて、手すりが取り付けられるが、図８に示すように、手すり用架台１の取付け間隔Ｗは、１ｍ以下となるように設けられることが望ましい。また、手すり用架台１は、円筒形手すり２に、常に直交するように取り付けられるから、取付け間隔Ｗに基づいて事前に工場で組み立てておくことができる。現地での手すり２の取付け角度が急に変更になっても、取付け間隔Ｗがあっていれば、事前に工場で組み立てたものをそのまま使用できる。また、通孔１５の位置は、どれも直線上にあって、取付け角度には依存しないので、取付け間隔Ｗさえ守れば、事前にアンカーボルト２７用の下穴２９をあけておくこともできる。
【産業上の利用可能性】
【００２０】
本考案の手すり用架台は、鋳型による大量生産が可能で、階段側面のコンクリート壁面への手すり取付けを容易にする。
【図面の簡単な説明】
【００２１】
【図１】本考案による手すり用架台の斜視図である。（実施例１）
【図２】本考案による手すり用架台を後方（壁面側）から見た斜視図である。
【図３】本考案による手すり用架台の平面図である。（実施例１）
【図４】本考案による手すり用架台の、図３のＡ−Ｂ断面図である。
【図５】本考案による手すり用架台の蓋の斜視図である。
【図６】一般的な、アンカーボルトのコンクリート壁面への取付け説明図である。（ａ）はドリルによる下穴あけを示す図である。（ｂ）は、下穴へのアンカーボルトの挿入を示す図である。（ｃ）は、アンカーボルトの芯捧打ち込みを示す図である。（ｄ）は最終的な手すり用架台の装着状態を示す図である。
【図７】本考案による手すり用架台の壁面への取付け断面図である。
【図８】本考案による手すり用架台が、階段の側面に、手すりとともに取り付けられた状態を示す取付け図である。
【符号の説明】
【００２２】
１    手すり用架台
２    円筒形手すり
３    蓋
１０    後方取付け面
１１    凹形湾曲面
１２    手すり装着面
１３    開口部
１４    ネジ孔
１５    通孔
１６    孔
２１    溝
２４    階段
２５    コンクリート壁
２６    ネジ
２７    アンカーボルト
２８    キャップ
２９    下穴
３０    ドリル
３１    スリーブ部
３２    ハンマー
３３    芯捧
３４    嵌合溝
Ｌ    手すりの高さ
Ｗ    取付け間隔
【図１】
0003109177.tif 000003
【図２】
0003109177.tif 000004
【図３】
0003109177.tif 000005
【図４】
0003109177.tif 000006
【図５】
0003109177.tif 000007
【図６】
0003109177.tif 000008
【図７】
0003109177.tif 000009
【図８】
0003109177.tif 000010